(57)【要約】【課題】  あわび殻が有する凹凸曲面状の殻面部と湾曲状の厚い外縁部を美しく輝く光沢を有する装飾品に造形する。【解決手段】  あわび殻を湾曲状の厚い外縁部から成るあわび殻体と、呼水孔部と、殻頂から波状に筋がある殻口から成るあわび殻体部とに３分割し、分割した外縁部から成るあわび殻体から、美しく輝く光沢を有する湾曲状の飲食用スプーンと、美しく輝く光沢を有する湾曲状のかんざし軸足と、美しく輝く光沢を有する湾曲状のかんざしと、分割した外縁部から成るあわび殻体の殻面と、分割した殻頂から波状の筋が有る殻口部から成るあわび殻体の殻面とを美しく波状に輝く光沢を有する凹凸曲面状の装飾ペンダントに造形することを提案する。【選択図】図１
2015199237.tif 000002
【特許請求の範囲】
【請求項１】
あわび殻を両殻面に光沢を有する凹凸曲面状のあわび殻体に造形する手段、前記両殻面に光沢を有する凹凸曲面状のあわび殻体の湾曲状の外縁部を湾曲状の飲食用スプーンに造形する手段、前記両殻面に光沢を有する凹凸曲面状のあわび殻体の湾曲状の外縁部を湾曲状のかんざし軸足に造形する手段、前記両殻面に光沢を有する凹凸曲面状のあわび殻体の湾曲状の外縁部を湾曲状のかんざしに造形する手段、および前記両殻面に光沢を有する凹凸曲面状のあわび殻体から、両殻面に美しく凹凸の波状に輝く光沢を有する凹凸曲面状の装飾ペンダントに造形する手段を特徴とするあわび殻造形装飾品。
【請求項２】
前記両殻面に光沢を有する凹凸曲面状のあわび殻体に造形する手段は、あわび殻を湾曲状の厚い外縁部と、呼水孔部と、殻頂から波状の筋がある殻口部とに３分割切断し、分割した湾曲状の厚い外縁部から成る凹凸曲面状のあわび殻体の殻皮と、殻頂から波状の筋がある殻口部から成る凹凸曲面状のあわび殻体の殻皮とを荒研磨加工で削除し、両殻面に光沢を有する凹凸曲面状のあわび殻体に造形することを特徴とする請求項１記載のあわび殻造形装飾品。
【請求項３】
前記湾曲状の飲食用スプーンに造形する手段は、前記湾曲状の厚い外縁部から成る光沢を有する凹凸曲面状のあわび殻体を湾曲状の飲食用スプーンの柄に、外縁部先端の殻面を湾曲状の飲食用スプーンの皿に造形加工し、さらに光沢を増すために全面精密研磨し、美しく輝く光沢を有する湾曲状の飲食用スプーンに造形することを特徴とする請求項１記載のあわび造形装飾品。
【請求項４】
前記湾曲状のかんざし軸足に造形する手段は、前記湾曲状の厚い外縁部から成る光沢を有する凹凸曲面状のあわび殻体を外縁部と、殻面とに分割し、分割した外縁部の殻頂側平板部に取り付け穴を設け、反対側の先端側をテーパー加工し、さらに光沢を増すために全面精密研磨し、美しく輝く光沢を有する湾曲状のかんざし軸足に造形することを特徴とする請求項１記載のあわび殻造形装飾品。
【請求項５】
前記湾曲状のかんざしに造形する手段は、前記湾曲状の厚い外縁部から成る光沢を有する凹凸曲面状のあわび殻体の外縁部の殻頂側をテーパー加工し、反対側の外縁部と、殻面とで飾り模様に造形し、さらに光沢を増すために全面精密研磨し、美しく輝く光沢を有する飾り模様を持つ湾曲状のかんざしに造形することを特徴とする請求項１記載のあわび殻造形装飾品。
【請求項６】
前記凹凸曲面状の装飾ペンダントに造形する手段は、前記湾曲状の厚い外縁部から成る光沢を有する凹凸曲面状のあわび殻体の外縁部の殻面と、殻頂から波状の筋がある殻口部から成る光沢を有する凹凸曲面状のあわび殻体の殻面とを飾り模様に造形し、取り付け穴を設け、さらに光沢を増すために全面精密研磨し、両殻面に美しく凹凸の波状に輝く光沢を有する凹凸曲面状の装飾ペンダントに造形することを特徴とする請求項１記載のあわび殻造形装飾品。
【請求項７】
前記かんざし軸足および前記装飾ペンダントに金属、海産物、紙、プラスティクで形成した装飾品を付加し、華やかさを加えることを特徴とする請求項１記載のあわび殻造形装飾品。
【発明の詳細な説明】
【技術分野】
【０００１】
本発明は、あわび殻から造り上げる、あわび殻造形装飾品に関するものである。
【背景技術】
【０００２】
あわび料理後のあわび殻は、外皮の付着物を取り除き小さい人形の台座にする程度の利用度であり、螺肋と螺溝で造られた凹凸状で、曲面状のあわび殻面の美しく輝く光沢を活用し、付加価値を高めることが望まれている。
天然貝の殻皮を除いた下層を擬餌体（特許文献１参照）と、下層をスプーン状の貝殻プレート（特許文献２参照）がある。
前記下層の曲面は、加工研磨して形成したもので,殻本体の曲面でない。
【先行技術文献】
【特許文献】
【０００３】
【特許文献１】特許第３２５６７７１号公報
【特許文献２】登実第３０１１４０１号公報
【発明の概要】
【発明が解決しようとする課題】
【０００４】
本発明は、上述した問題点を解決するものであり、あわび殻の両殻面に光沢を有する凹凸曲面状のあわび殻体に造形し、さらに美しく波状に輝く光沢を有す凹凸曲面状で湾曲状の飲食用スプーン、湾曲状のかんざし軸足、湾曲状のかんざしおよび凹凸曲面状の装飾ペンダントに造形するあわび殻造形装飾品を提供することを目的とする。
【課題を解決するための手段】
【０００５】
本発明に係わるあわび殻造形装飾品は、あわび殻の両殻面に光沢を有する凹凸曲面状のあわび殻体に造形し、両殻面に光沢を有する凹凸曲面状のあわび殻体を美しく輝く光沢を有する湾曲状の飲食用スプーン、湾曲状のかんざし軸足、湾曲状のかんざしおよび凹凸曲面状の装飾ペンダントに造形するものである。
【０００６】
あわび殻を湾曲状の厚い外縁部と、呼水孔部と、殻頂から波状の筋がある殻口部とに３分割切断し、分割した湾曲状の厚い外縁部から成る凹凸曲面状のあわび殻体の殻皮  および  殻頂から波状の筋がある殻口部から成る凹凸曲面状あわび殻体の殻皮を荒研磨加工で削除し、両殻面に光沢を有する凹凸曲面状のあわび殻体に造形する。  
前記湾曲状の厚い外縁部からなる光沢を有する凹凸曲面状のあわび殻体を湾曲状の飲食用スプーンの柄に、外縁部先端の殻面を湾曲状の飲食用スプーンの皿に造形加工し、さらに光沢を増すために全面精密研磨し、美しく輝く光沢を有する湾曲状の飲食用スプーンに造形する。
前記湾曲状の厚い外縁部から成る光沢を有する凹凸曲面状のあわび殻体を外縁部と、殻面とに分割し、分割した外縁部の殻頂側平板部に取り付け穴を設け、反対側の先端部をテーパー加工し、さらに光沢を増すために全面精密研磨し、美しく輝く光沢を有する湾曲状のかんざし軸足に造形する。
前記湾曲状の厚い外外縁部から成る光沢を有する凹凸曲面状のあわび殻体の殻頂側をテーパー加工し、反対側の外縁部と、殻面とで飾り模様に造形し、さらに光沢を増すために全面精密研磨し、美しく輝く光沢を有する飾り模様を持つ湾曲状のかんざしに造形する。
前記湾曲状の厚い外縁部から成る光沢を有する凹凸曲面状のあわび殻体の外縁部の殻面と、殻頂から波状の筋がある殻口部から成る光沢を有する凹凸曲面状のあわび殻体の殻面とを飾り模様に造形し、取り付け穴を設け、さらに光沢を増すために全面精密研磨し、両殻面に美しく凹凸の波状に輝く光沢を有する凹凸曲面状の装飾ペンダントに造形する。
前記かんざし軸足および前記装飾ペンダントに金属、海産物、紙、プラスティクで形成した装飾品を付加し、華やかさを加えることを特徴とする。
【発明の効果】
【０００７】
本発明により、あわび殻の両殻面が持つ美しく輝く光沢、湾曲状および凹凸曲面から造形した、湾曲状の飲食用スプーンは、ティータイム時にカップ、コップ内の飲み物を混ぜる時にできる、美しく輝く光沢を話題にして会話が弾む、湾曲状のかんざしの軸足、湾曲状のかんざしおよび装飾ペンダントは、美しさを演出する装身具の装飾品にすることで、あわび殻の付加価値を高めることができる。
【図面の簡単な説明】
【０００８】
【図１】本図は、あわび殻と、造り上げた湾曲状の飲食用スプーン、湾曲状のかんざし軸足、湾曲状のかんざしおよび装飾用ペンダントの代表例の斜視図である。
【発明を実施するための形態】
【０００９】
本発明は、次工程の作業効率を上げるために、あわび殻（１）を湾曲状の厚い外縁部（１ａ）と、呼水孔部（１ｂ）と、殻頂から波状の筋がある殻口部（１ｃ）とに３分割し、カッター切断する。分割した湾曲状の厚い外縁部（１ａ）から成る凹凸曲面状のあわび殻体の殻皮  および  殻頂から波状の筋がある殻口部（１ｃ）から成る凹凸曲面状のあわび殻体の殻皮を荒目砥石で荒研磨加工し、削除し、両殻面に光沢を有する凹凸曲面状のあわび殻体に造形する。
【００１０】
前記湾曲状の厚い外縁部（１ａ）から成る光沢を有する凹凸曲面状のあわび殻体を湾曲状の飲食用スプーン（２ａ）の柄に、外縁部先端の殻面を湾曲状の飲食用スプーン（２ａ）の皿に造形加工し、さらに光沢を増すために仕上げ砥石で全面精密研磨し、美しく輝く光沢を有する湾曲状の飲食用スプーン（２ａ）に造形する。カップ、コップ内の飲み物を湾曲状の飲食用スプーン（２ａ）で混ぜる際に美しく輝く光沢を鑑賞できる。
【００１１】
前記湾曲状の厚い外縁部（１ａ）から成る光沢を有する凹凸曲面状のあわび殻体を外縁部と、殻面とに切断分割し、電気ドリルで外縁部の殻頂側平板部に取り付け穴を設け、反対側の先端部を研削工具でテーパー加工し、さらに光沢を増すために仕上げ砥石で全面精密研磨し、美しく輝く光沢を有する湾曲状のかんざし軸足（３ａ）に造形する。
【００１２】
前記湾曲状の厚い外縁部（１ａ）から成る光沢を有する凹凸曲面状のあわび殻体の殻頂側を研削工具でテーパー加工し、反対側の外縁部と、殻面とで飾り模様に造形し、さらに光沢を増すために仕上げ砥石で全面精密研磨し、美しく輝く光沢を有する飾り模様で湾曲状のかんざし（３ｂ）に造形する。
【００１３】
前記湾曲状の厚い外縁部（１ａ）から成る光沢を有する凹凸曲面状のあわび殻体の殻面と、殻頂から波状の筋がある殻口部（１ｃ）から成る光沢を有する凹凸曲面状のあわび殻体の殻面とを電動カッター  および  鋸刃で飾り模様に造形し、電気ドリルで取り付け穴を設け、さらに光沢を増すために、仕上げ砥石で全面精密研磨し、両殻面に美しく凹凸の波状に輝く光沢を有する凹凸曲面状の装飾ペンダントａ（４ａ）〜装飾ペンダントｅ（４ｅ）に造形する。
【００１４】
前記かんざし軸足（３ａ）および前記装飾ペンダント（４ａ）〜装飾ペンダント（４ｅ）に金属、海産物、紙、プラスティクで形成した装飾品を付加し、さらに華やかさを増すあわび殻造形装飾品とする。
【符号の説明】
【００１５】
１      あわび殻
１ａ    湾曲状の厚い外縁部  
１ｂ    呼水孔部
１ｃ    波状の筋がある殻口部
２ａ    湾曲状の飲食用スプーン
３ａ    湾曲状のかんざし軸足
３ｂ    湾曲状のかんざし
４ａ    装飾ペンダントａ
４ｂ    装飾ペンダントｂ
４ｃ    装飾ペンダントｃ
４ｄ    装飾ペンダントｄ  
４ｅ    装飾ペンダントｅ
【図１】
2015199237.tif 000003